(57)【要約】【課題】様々な視聴状況においても、多くの視聴者に利便性をもたらすデジタルサイネージシステムを提供する。【解決手段】モニタ１０１〜１０６は映像コンテンツを表示する機能を備えたモニタである。モニタ１０７〜１０９は、映像コンテンツを表示する機能と視聴者が触ったことを検知するタッチパネルとを備えたモニタである。モニタ１０１〜１０９はマルチディスプレイ装置を構成する。視聴者が触っているタッチパネルを備えたモニタに、視聴者の操作に応じた情報や映像を表示するインタラクティブコンテンツを表示させ、かつ、マルチディスプレイ装置を構成する他のモニタには、人感センサ２１０で検知可能な近距離視聴者に見易い画面サイズの近距離視聴者用映像コンテンツと、人感センサ２１０で検知できない遠距離視聴者に見易い画面サイズの遠距離視聴者用映像コンテンツとを同時表示させる。【選択図】図４
2012079194.tif 000002
【特許請求の範囲】
【請求項１】
映像コンテンツを表示する機能を備えた複数台の第１のモニタと、映像コンテンツを表示する機能と視聴者が触ったことを検知するタッチパネルとを備えた１台以上の第２のモニタとにより構成される１つのマルチディスプレイ装置と、
前記マルチディスプレイ装置の近傍位置に視聴者が存在することを検知する人感センサと、
前記タッチパネルに前記視聴者が触ったことを示す検知情報が入力されたときは、その検知情報を出力している前記タッチパネルを備えた前記第２のモニタに、前記視聴者の操作に応じた情報や映像を表示するインタラクティブコンテンツを表示させ、かつ、前記マルチディスプレイ装置を構成する他のモニタには、前記人感センサで検知可能な近距離視聴者に見易い画面サイズの近距離視聴者用映像コンテンツと、前記人感センサで検知できない遠距離視聴者に見易い画面サイズの遠距離視聴者用映像コンテンツとを同時表示させる第１の映像処理手段と、
前記タッチパネルから前記検知情報が入力されないときは、前記人感センサからの人感検出情報に応じて、前記マルチディスプレイ装置により前記近距離視聴者用映像コンテンツ及び前記遠距離視聴者用映像コンテンツの同時表示、又は前記遠距離視聴者用映像コンテンツのみの表示を行わせる第２の映像処理手段と
を有することを特徴とするデジタルサイネージシステム。
【発明の詳細な説明】
【技術分野】
【０００１】
本発明はデジタルサイネージシステムに係り、特に公共のスペースにおいて大型ディスプレイに広告映像や広告情報を表示するデジタルサイネージシステムに関する。
【背景技術】
【０００２】
近年、大型ディスプレイを公共スペースや店舗などに設置し、不特定多数の人に広告映像や文字情報を表示するデジタルサイネージシステムが普及してきている。このデジタルサイネージシステムは、様々な形態が存在し、例えば、大型ディスプレイを縦や横あるいはマトリクス状に配置し、それぞれが１つの映像の分割した部分を表示するマルチディスプレイを用いて大画面で多人数の視聴者に情報を表示するタイプや、あるいは、１つのディスプレイにタッチパネルを装着し、視聴者の操作によって表示する情報を次々と変更するタイプがある。それぞれのタイプの特徴は、前者は多人数向けであり、後者は、個人向けであるため、２つのタイプを同一のディスプレイシステムで構築すると、個人が大画面を占有するなど、問題が出てくる。また、それぞれのシステムを別に設置するには、設置スペースもそれぞれに必要であり、また、両方のシステムの購入が必要となりコスト的にも課題である。
【０００３】
このような課題を解決するデジタルサイネージシステムが特許文献１に開示されている。この特許文献１に記載のデジタルサイネージシステムは、マルチディスプレイの一番下の列、すなわち、視聴者の手の届く範囲のディスプレイにタッチパネルを装着し、視聴者がそのディスプレイに触れている時は、触れているディスプレイには、マルチディスプレイ全体に表示していた映像を縮小して表示するなどの処理を行う。これにより、不特定多数の視聴者や個人の視聴者両方に利便性が良いデジタルサイネージシステムが得られる。
【先行技術文献】
【特許文献】
【０００４】
【特許文献１】特開２００９-２９５０１６号公報
【発明の概要】
【発明が解決しようとする課題】
【０００５】
デジタルサイネージにおいては、視聴者の視聴位置によって効果的な映像サイズが違うことや視聴者が詳細な情報を求める内容が違う等、様々な視聴状況が想定され、幅広い視聴者に利便性をもたらす必要がある。
【０００６】
従来のデジタルサイネージシステムでは、１つのシステムでこの様々な視聴状況の不特定多数や個人の視聴者に利便性をもたらすことは難しい。特許文献１に記載の従来のデジタルサイネージシステムは、その解決のひとつのアプローチであるが、デジタルサイネージにおいては、さらに様々な視聴状況が想定され、幅広い視聴者に利便性をもたらすには不十分である。
【０００７】
本発明は上記の点に鑑みなされたもので、様々な視聴状況においても、多くの視聴者に利便性をもたらすデジタルサイネージシステムを提供することを目的とする。
【課題を解決するための手段】
【０００８】
上記目的を達成するため、本発明のデジタルサイネージシステムは、映像コンテンツを表示する機能を備えた複数台の第１のモニタと、映像コンテンツを表示する機能と視聴者が触ったことを検知するタッチパネルとを備えた１台以上の第２のモニタとにより構成される１つのマルチディスプレイ装置と、マルチディスプレイ装置の近傍位置に視聴者が存在することを検知する人感センサと、タッチパネルに視聴者が触ったことを示す検知情報が入力されたときは、その検知情報を出力しているタッチパネルを備えた第２のモニタに、視聴者の操作に応じた情報や映像を表示するインタラクティブコンテンツを表示させ、かつ、マルチディスプレイ装置を構成する他のモニタには、人感センサで検知可能な近距離視聴者に見易い画面サイズの近距離視聴者用映像コンテンツと、人感センサで検知できない遠距離視聴者に見易い画面サイズの遠距離視聴者用映像コンテンツとを同時表示させる第１の映像処理手段と、タッチパネルから検知情報が入力されないときは、人感センサからの人感検出情報に応じてマルチディスプレイ装置により近距離視聴者用映像コンテンツ及び遠距離視聴者用映像コンテンツの同時表示、又は遠距離視聴者用映像コンテンツのみの表示を行わせる第２の映像処理手段とを有することを特徴とする。
【発明の効果】
【０００９】
本発明によれば、近距離、遠距離の視聴者のいずれにも最適なサイズの画面で映像コンテンツを提供できると共に、より詳細な情報が欲しい視聴者に対してインタラクティブコンテンツを提供することができ、また、これらのことから、設置スペースやシステムコストの低減を図ることができる。
【図面の簡単な説明】
【００１０】
【図１】本発明のデジタルサイネージシステムのマルチディスプレイ装置の表示例（遠距離視聴者用映像のみ）である。
【図２】本発明のデジタルサイネージシステムのマルチディスプレイ装置の別の表示例（遠距離視聴者用映像+近距離視聴者用映像）である。
【図３】本発明のデジタルサイネージシステムのマルチディスプレイ装置の更に別の表示例（遠距離視聴者用映像+近距離視聴者用映像+インタラクティブコンテンツ）である。
【図４】本発明のデジタルサイネージシステムの一実施の形態のブロック図である。
【図５】本発明のデジタルサイネージシステムの動作説明用フローチャートである。
【発明を実施するための形態】
【００１１】
次に、本発明のデジタルサイネージシステムの実施の形態について、図面を参照して説明する。
【００１２】
図１は、本発明のデジタルサイネージシステムのマルチディスプレイ装置の表示の一例（遠距離視聴者用映像のみ）を示す。同図において、モニタ１０１〜１０６は映像コンテンツを表示する機能を備えたモニタである。また、モニタ１０７〜１０９は、映像コンテンツを表示する機能と視聴者が触ったことを検知するタッチパネルとを備えたモニタである。これら９台のモニタ１０１〜１０９により１つのマルチディスプレイ装置が構成されている。
【００１３】
この図１に示す表示例は、１つの映像コンテンツの映像を９分割し、それぞれの分割映像を９台のモニタ１０１〜１０９にそれぞれ表示することにより、９台のモニタ１０１〜１０９からなる一つの大画面にて視聴者に１つの映像コンテンツの映像を提供する表示例である。このような表示方法は、９台のモニタ１０１〜１０９からなるマルチディスプレイ装置から離れている遠距離視聴者に広告の効果がある。しかし、この表示方法はマルチディスプレイ装置に近い近距離視聴者の視界には部分的な映像しか入らないという課題がある。
【００１４】
図２は、デジタルサイネージシステムのマルチディスプレイ装置の別の表示例（遠距離視聴者用映像+近距離視聴者用映像）を示す。このデジタルサイネージシステムは、視聴者が９台のモニタ１０１〜１０９からなるマルチディスプレイ装置の近傍位置にいるか否かを検知するための人感センサ２１０を設置している。
【００１５】
この人感センサ２１０にて、視聴者２１１がマルチディスプレイ装置の近くにいることを検知した場合は、その距離でも映像が見易いように、下に配置された３台のモニタ１０７〜１０９には、モニタ１画面サイズの近距離視聴者用映像を表示する。他の６台のモニタ１０１〜１０６は、１つの遠距離視聴者用映像を６分割して各分割映像を表示し、６台のモニタ１０１〜１０６全体の大画面にて表示する。
【００１６】
このように映像を表示制御することにより、マルチディスプレイ装置の近距離にいる視聴者２１１には、近距離視聴者用の映像、遠距離にいる視聴者には遠距離視聴者用の映像を同時に表示することができ、１つのマルチディスプレイ装置で多くの視聴者に映像を提供することができる。
【００１７】
なお、遠距離視聴者用映像と近距離視聴者用映像は、内容は同じものでサイズだけが違うという形態を取ってもよい。また、それぞれに適した違う映像でもよい。
【００１８】
図３は、本発明のデジタルサイネージシステムのマルチディスプレイ装置の更に別の表示例（遠距離視聴者用映像+近距離視聴者用映像+インタラクティブコンテンツ）を示す。この表示例においては、マルチディスプレイ装置を構成する９台のモニタ１０１〜１０９のうち、下の３台のモニタ１０７〜１０９にタッチパネルを装着し、視聴者がモニタ１０７〜１０９のタッチパネルのいずれかに触れると、インタラクティブなコンテンツに切り替わる。インタラクティブなコンテンツとは、視聴者がタッチパネルにて操作することにより、その操作に応じた情報や映像を表示するコンテンツである。視聴者が自ら操作することにより、視聴者は自分の欲しい詳細な情報を得ることができる。図３は視聴者がモニタ１０９のタッチパネルにてインタラクティブなコンテンツを操作している状態を示す。
【００１９】
図４は、図１〜図３で示したマルチディスプレイ装置の表示例を実現する本発明になるデジタルサイネージシステムの一実施の形態のブロック図を示す。同図中、図１〜図３と同一構成部分には同一符号を付してある。
【００２０】
図４において、デジタルサイネージシステム４００は、映像再生装置４０１と、それにつながっている９台のモニタ１０１〜１０９と、人感センサ２１０とから構成される。なお、下の３台のモニタ１０７〜１０９にはタッチパネルが装着されている。映像再生装置４０１は、ＨＤＤ（ハードディスクドライブ）４０３に蓄積されている映像データを復号する映像再生処理部４０２と、映像再生処理部４０２で復号された映像の拡大縮小切り抜きを行い、モニタ１０１〜１０９に出力する映像分割処理部４０７と、中央処理装置（ＣＰＵ:Central Processing Unit）４０６と、ＣＰＵ４０６の動作用プログラムなどを記憶しているＲＯＭ（Read Only Memory）４０５と、ＣＰＵ４０６の演算などのために各種データが書き込まれ、また読み出されるＲＡＭ（Random Access Memory）４０４と、タッチパネルＩ／Ｆ（インタフェース）４０８と、人感センサ２１０に接続された人感センサＩ／Ｆ４０９とからなり、これらがバスを介して接続されている。
【００２１】
ＣＰＵ４０６は、人感センサ２１０から人感センサＩ／Ｆ４０９を介して供給される情報や、モニタ１０７〜１０９に装着されたタッチパネルからタッチパネルＩ／Ｆ４０８を介して供給される情報に基づいて視聴者の位置などを判断し、その判断結果に応じて適切な映像を適切なモニタに表示するように映像再生処理部４０２と映像分割処理部４０７を制御する。
【００２２】
次に、本実施の形態のデジタルサイネージシステム４００の動作について、図５のフローチャートを併せ参照して説明する。
【００２３】
まず、ＣＰＵ４０６はモニタ１０７〜１０９のいずれかのタッチパネルに視聴者が触れているか否かを判定する(ステップＳ５０１)。ＣＰＵ４０６はタッチパネルに触れられていると判定したときは、その触れられているタッチパネルを有するモニタにインタラクティブコンテンツを表示する(ステップＳ５０２)。続いて、ＣＰＵ４０６はモニタ１０７〜１０９のうち、タッチパネルに触れられていないモニタには、近距離視聴者用映像コンテンツを表示するように映像再生処理部４０２と映像分割処理部４０７に指示を出す(ステップＳ５０３)。残りのモニタ、すなわちモニタ１０１〜１０６には、ＣＰＵ４０６は遠距離視聴者用映像コンテンツを表示するように映像再生処理部４０２と映像分割処理部４０７に指示を出す(ステップＳ５０４)。従って、この場合はデジタルサイネージシステム４００は、マルチディスプレイ装置により図３に示したような表示を行う。
【００２４】
なお、インタラクティブコンテンツ表示は、視聴者が明示的に表示終了を操作するか、一定時間視聴者がタッチパネルに触れていないことを検知した場合に終了となる。
【００２５】
一方、ＣＰＵ４０６はステップＳ５０１でモニタ１０７〜１０９のタッチパネルのいずれにも視聴者が触れていないと判定したときは、視聴者がマルチディスプレイ装置の近くにいるか否かを、人感センサ２１０から人感センサＩ／Ｆ４０９を介して供給される人感検出情報に基づいて判定する(ステップＳ５０５)。なお、視聴者が近くにいると判断する距離は、１つのモニタを見るのに最適な距離である、およそ１メートルから２メートルを想定しているが、それに限定しなくてもよい。
【００２６】
ＣＰＵ４０６はステップＳ５０５で視聴者がマルチディスプレイ装置の近くにいると判定した場合、モニタ１０７〜１０９のそれぞれに近距離視聴者用映像コンテンツを表示するように、映像再生処理部４０２と映像分割処理部４０７に指示を出す（ステップＳ５０６）。そして、残りのモニタ、すなわちモニタ１０１〜１０６には、遠距離視聴者用映像コンテンツを表示するように映像再生処理部４０２と映像分割処理部４０７に指示を出す(ステップＳ５０４)。従って、この場合は、デジタルサイネージシステム４００は、マルチディスプレイ装置により図２に示したような表示を行う。
【００２７】
視聴者がモニタ１０７〜１０９のタッチパネルのいずれにも触れておらず、かつ、人感センサ２１０からの人感検出情報も近くに視聴者がいることを示していない場合は、ＣＰＵ４０６はすべての９台のモニタ１０１〜１０９を使い、遠距離視聴者用映像コンテンツを表示するように映像再生処理部４０２と映像分割処理部４０７に指示を出す(ステップＳ５０７)。従って、この場合は、デジタルサイネージシステム４００は、マルチディスプレイ装置により図１に示したような大画面での映像コンテンツの表示を行う。
【００２８】
このように、本実施の形態のデジタルサイネージシステム４００は、視聴者が９台のモニタ１０１〜１０９からなるマルチディスプレイ装置の遠くにいるときは、マルチディスプレイ装置全体で１つの遠距離視聴者用映像コンテンツを表示することで遠くの視聴者に見易い状態にし、視聴者がマルチディスプレイ装置の近くにいるときは、マルチディスプレイ装置の一部のモニタ１０７〜１０９により、近くにいる視聴者に見易いサイズの近距離視聴者用映像コンテンツを表示するとともに、それ以外のモニタ１０１〜１０６には、遠くの視聴者に見易いサイズの遠距離視聴者用映像コンテンツを表示する。また、本実施の形態のデジタルサイネージシステム４００は、タッチパネルを操作している視聴者には、インタラクティブなコンテンツを提供する。
【００２９】
従って、本実施の形態のデジタルサイネージシステム４００によれば、１つのマルチディスプレイ装置で、近距離、遠距離の視聴者に対して最適なサイズの画面で最適に映像コンテンツの提供ができ、また、より詳細な情報が欲しい視聴者に対しては、同時にインタラクティブコンテンツを提供することができ、これらのことから設置スペースやシステムコストを低減できる。よって、本実施の形態のデジタルサイネージシステム４００は、コンテンツ（広告）を提供する側、受ける側、双方にとって、利便性の高いデジタルサイネージシステムを提供できる。
【００３０】
なお、本発明は上記の実施の形態に限定されるものではなく、例えば図５のフローチャートにより示される処理をＣＰＵ４０６に実行させるコンピュータプログラムも包含するものである。このコンピュータプログラムは、記録媒体から取り込んでもよいし、ネットワークから配信したものをダウンロードしてもよい。
【符号の説明】
【００３１】
１０１〜１０６  モニタ
１０７〜１０９  タッチパネルを装着したモニタ
２１０  人感センサ
２１１  視聴者  
４００  デジタルサイネージシステム
４０１  映像再生装置
４０２  映像再生処理部
４０６  中央処理装置（ＣＰＵ）
４０７  映像分割処理部
４０８  タッチパネルＩ／Ｆ（インタフェース）
４０９  人感センサＩ／Ｆ（インタフェース）
【図１】
2012079194.tif 000003
【図２】
2012079194.tif 000004
【図３】
2012079194.tif 000005
【図４】
2012079194.tif 000006
【図５】
2012079194.tif 000007